【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】  下記手段を具備する装置：
第２のステーションにより送信された信号の信号対雑音比を測定するため第１のステーションに接続された手段、前記信号は複数のフレームを含む；
ループゲイン，前記信号対雑音比，及び信号対雑音比のしきい値の関数として前記信号の送信された信号電力を調整するための手段；
該受信信号の信号の質を測定するため前記第１のステーションに連結された手段； 
前記信号の質及び信号の質のしきい値の関数として前記信号対雑音比のしきい値を調整するための手段であって、該手段は
現フレームがエラーを有し及び所定の数の前フレームが、増加の間に事前に選択された最小の周期のエラーを有さない時、前記信号対雑音比のしきい値を増加させるための手段；及び
その他の時では前記信号対雑音比のしきい値を減少させるための手段、を含む；
前記信号のフェージングレートを測定するため前記第１のステーションに連結された手段；及び
前記フェージングレート及びフェージングレートのしきい値の関数として前記ループゲインを調整するための手段。
【請求項２】  前記信号対雑音比のしきい値は前記最小の周期に渡って事前に選択された少量だけ減少される、請求項１の装置。
【請求項３】  下記を具備する請求項１の装置：
前記増加させるための手段は前記信号対雑音比のしきい値を予め定められた量だけ増加させる手段を具備し；及び
前記減少させるための手段は前記信号対雑音比のしきい値を前記予め定められた量よりも少ない量を減少させる手段を具備する。
【請求項４】  下記手段を具備する装置：
第２のステーションにより送信された信号の信号対雑音比を測定するため第１のステーションに連結された手段；
ループゲイン，前記信号対雑音比，及び信号対雑音比のしきい値の関数として前記信号の送信信号の電力を調整するための手段；
該受信信号の信号の質を測定するため前記第１のステーションに連結された手段；
前記信号の質及び信号の質のしきい値の関数として前記信号対雑音比のしきい値を調整するための手段；
前記信号のフェージングレートを測定するため前記第１のステーションに連結された手段；及び
前記フェージングレート及びフェージングレートのしきい値の関数として前記ループゲインを調整するための手段であって、該手段は
前記フェージングレートが前記フェージングレートのしきい値以下の時、前記ループゲインを第１のループゲインに設定するための手段；及び
前記フェージングレートが前記フェージングレートのしきい値以上の時、前記ループゲインを第２のループゲインに設定するための手段、を含む。
【請求項５】  前記第２のループゲインが前記第１のループゲインよりも小さい、請求項４の装置。
【請求項６】  下記手段を具備する装置：
第２のステーションにより送信された信号の信号対雑音比を測定するため第１のステーションに接続された手段、前記手段は複数のフレームを含む；
ループゲイン，前記信号対雑音比，及び信号対雑音比のしきい値の関数として前記信号の送信信号の電力を調整するための手段；
該受信信号の信号の質を測定するため前記第１のステーションに連結された手段；
前記信号の質及び信号の質のしきい値の関数として前記信号対雑音比のしきい値を調整するための手段であって、該手段は
現フレームがエラーを有し及び所定の数の前フレームが、増加の間に事前に選択された最小の周期のエラーを有さない時、前記信号対雑音比のしきい値を増加させるための手段；及び
その他の時では前記信号対雑音比のしきい値を減少させるための手段、を含む；
前記第１のステーションにより送信されたさらなる信号のフェージングレートを測定するため前記第２のステーションに連結された手段；及び
前記フェージングレート及びフェージングレートのしきい値の関数として前記ループゲインを調整するための手段。
【請求項７】  前記信号対雑音比のしきい値は前記最小の周期に渡って事前に選択された少量だけ減少される、請求項６の装置。
【請求項８】  下記を具備する請求項６の装置：
前記増加させるための手段は前記信号対雑音比のしきい値を予め定められた量だけ増加させる手段を具備し；及び
前記減少させるための手段は前記信号対雑音比のしきい値を前記予め定められた量よりも少ない量を減少させる手段を具備する。
【請求項９】  下記手段を具備する装置：
第２のステーションにより送信された信号の信号対雑音比を測定するため第１のステーションに連結された手段；
ループゲイン，前記信号対雑音比，及び信号対雑音比のしきい値の関数として前記信号の送信された信号電力を調整するための手段；
該受信信号の信号の質を測定するため前記第１のステーションに連結された手段；
前記信号の質及び信号の質のしきい値の関数として前記信号対雑音比のしきい値を調整するための手段；
前記第１のステーションにより送信されたさらなる信号のフェージングレートを測定するため前記第２のステーションに連結された手段；及び
前記フェージングレート及びフェージングレートのしきい値の関数として前記ループゲインを調整するための手段：該手段は
前記フェージングレートが前記フェージングレートのしきい値以下の時、前記ループゲインを第１のループゲインに設定するための手段；及び
前記フェージングレートが前記フェージングレートのしきい値以上の時、前記ループゲインを第２のループゲインに設定するための手段、を含む。
【請求項１０】  前記第２のループゲインが前記第１のループゲインよりも小さい、請求項９の装置。
【請求項１１】  下記工程を具備する方法：
第１のステーションで、第２のステーションにより送信された信号の信号対雑音比を測定する、前記信号は複数のフレームを有する；
ループゲイン，前記信号対雑音比，及び信号対雑音比のしきい値の関数として前記信号の送信信号の電力を調整する；
第１のステーションで、該受信信号の信号の質を測定する；
前記信号の質及び信号の質のしきい値の関数として前記信号対雑音比のしきい値を調整する、該工程は下記を具備する：
現フレームがエラーを有しそして所定の数の前フレームが増加の間、事前に選択された最小の周期のエラーを有さない時、前記信号対雑音比のしきい値を増加させる；及び
その他の時は前記信号対雑音比のしきい値を減少させる；
前記第１のステーションで、前記信号のフェージングレートを測定する；及び
前記フェージングレート及びフェージングレートのしきい値の関数として前記ループゲインを調整する。
【請求項１２】  前記信号対雑音比のしきい値は前記最小の周期に渡って事前に選択された少量を減少される、請求項１１の方法。
【請求項１３】  下記を具備する、請求項１１の方法：
前記増加させる工程は前記信号対雑音比のしきい値を予め定められた量を増加させる工程を具備し；及び
前記減少させる工程は前記信号対雑音比のしきい値を前記予め定められた量よりも少ない量を減少させる工程を具備する。
【請求項１４】  下記工程を具備する方法：
第１のステーションで、第２のステーションにより送信された信号の信号対雑音比を測定する；
ループゲイン，前記信号対雑音比，及び信号対雑音比のしきい値の関数として前記信号の送信信号の電力を調整する；
前記第１のステーションで、該受信信号の信号の質を測定する；
前記信号の質及び信号の質のしきい値の関数として前記信号対雑音比のしきい値を調整する；
前記第１のステーションで、前記信号のフェージングレートを測定する；及び
前記フェージングレート及びフェージングレートのしきい値の関数として前記ループゲインを調整する工程であって、該工程は
前記フェージングレートが前記フェージングレートのしきい値以下の時、前記ループゲインを第１のループゲインに設定する；及び
前記フェージングレートが前記フェージングレートのしきい値以上の時、前記ループゲインを第２のループゲインに設定する、工程を含む。
【請求項１５】  前記第２のループゲインが前記第１のループゲインよりも小さい、請求項１４の方法。
【請求項１６】  下記工程を具備する方法：
第１のステーションで、第２のステーションにより送信された信号の信号対雑音比を測定する、前記信号は複数のフレームを有する；
ループゲイン，前記信号対雑音比，及び信号対雑音比のしきい値の関数として前記信号の送信信号の電力を調整する；
前記第１のステーションで、該受信信号の信号の質を測定する；
前記信号の質及び信号の質のしきい値の関数として前記信号対雑音比のしきい値を調整する工程：該工程は
現フレームがエラーを有しそして所定の数の前フレームが増加の間、事前に選択された最小の周期を持つエラーを有さない時、前記信号対雑音比のしきい値を増加させる；及び
その他の時は前記信号対雑音比のしきい値を減少させる、を含む；
前記第２のステーションで、前記第１のステーションにより送信された後続の信号のフェージングレートを測定する；及び
前記フェージングレート及びフェージングレートのしきい値の関数として前記ループゲインを調整する。
【請求項１７】  前記信号対雑音比のしきい値は前記最小の周期に渡って事前に選択された少量を減少される、請求項１６の方法。
【請求項１８】  下記を具備する、請求項１６の方法：
前記増加させる工程は前記信号対雑音比のしきい値を予め定められた量だけ増加させる工程を具備し；及び
前記減少させる工程は前記信号対雑音電力比のしきい値を前記予め定められた量よりも少ない量を減少させる工程を具備する。
【請求項１９】  下記工程を具備する方法：
第１のステーションで、第２のステーションにより送信された信号の信号対雑音比を測定する；
ループゲイン，前記信号対雑音比，及び信号対雑音比のしきい値の関数として前記信号の送信信号の電力を調整する；
前記第１のステーションで、該受信信号の信号の質を測定する；
前記信号の質及び信号の質のしきい値の関数として前記信号対雑音比のしきい値を調整する；
前記第２のステーションで、前記第１のステーションにより送信されたさらなる信号のフェージングレートを測定する；及び
前記フェージングレート及びフェージングレートのしきい値の関数として前記ループゲインを調整する工程であって、該工程は
前記フェージングレートが前記フェージングレートのしきい値以下の時、前記ループゲインを第１のループゲインに設定する；及び
前記フェージングレートが前記フェージングレートのしきい値以上の時、前記ループゲインを第２のループゲインに設定する、を含む。
【請求項２０】  前記第２のループゲインが前記第１のループゲインよりも小さい、請求項１９の方法。